【手続補正書】
【提出日】平成17年11月24日(2005.11.24)
【手続補正１】
【補正対象書類名】明細書
【補正対象項目名】特許請求の範囲
【補正方法】変更
【補正の内容】
【特許請求の範囲】
【請求項１】    非回転対称面を有する光学素子と光学特性可変反射鏡と、撮像素子とを備え、前記反射鏡と前記撮像素子とが同一の基板上に配置され、前記反射鏡と前記非回転対称面を有する光学素子が光学系の全部又は一部を構成することを特徴とする撮像装置。
【請求項２】    非回転対称面を有する光学素子と光学特性可変反射鏡とを備え、前記反射鏡が前記光学素子のいずれかの面の近傍に配置されていることを特徴とする撮像装置。
【請求項３】    前記非回転対称面を有する光学素子の少なくとも１面に光学特性可変反射鏡を又他の少なくとも１面に固体撮像素子を配設したことを特徴とする請求項２の撮像装置。
【請求項４】    前記非回転対称面が対称面を１面のみ有する面であることを特徴とする請求項１または２の撮像装置。
【請求項５】    光学特性可変反射鏡が入射光軸に垂直な面内で電気光学効果をもつ物質の方位がほぼ均一である物質よりなることを特徴とする請求項１または２の光学系。
【請求項６】    光学特性可変反射鏡が液晶素子を有し、前記液晶素子の光軸とほぼ直交する方向に電場を加えて光学特性を変化させることを特徴とする請求項１または２の光学系。
【請求項７】    光学特性可変反射鏡が屈折率異方性が負の電気光学効果又は磁気光学効果を持つ物質よりなり、この物質に電場又は磁場を加えることにより前記物質の屈折率を変化させて光学特性を変化させることを特徴とする請求項１または２の光学系。
【請求項８】    光学特性可変反射鏡が液晶素子よりなり、更に前記液晶素子の光軸とほぼ直交する方向に電場を加える部材を備え、前記部材による電場が時間と共に方向を変化させるようにしたことを特徴とする請求項１または２の光学系。
【請求項９】    光学特性可変反射鏡が液晶素子よりなり、更に前記液晶素子の光軸とほぼ平行な方向に電場を加える部材と、前記液晶素子の光軸とほぼ直交する方向に電場を加える部材とを備えたことを特徴とする請求項１または２の光学系。
【請求項１０】    下記条件式（７−１）を満足することを特徴とする請求項６、８または９の光学系。
Ｔ≦１０τ                    （７−１）
ただし、Ｔは前記電場を加える部材の電圧の切り換えの周期、τは液晶分子が自然にもとの配光になるまでの時間とする。
【請求項１１】    光学特性可変反射鏡が液晶素子を有し、前記液晶素子に用いる液晶が螺旋状の配向の液晶であることを特徴とする請求項１または２の光学系。
【請求項１２】    下記式（６）、（５−６１）、（５−６２）、（５−２８）、（５−２９）、（５−３０）のいずれかを満足することを特徴とする請求項１１の光学系。
Ｐ＜λ                        （６）
Ｐ＜２０π・λ≒６２．８λ    （５−６１）
Ｐ＜２０λ                    （５−６２）
｜Γ／２Φ｜＜１              （５−２８）
｜Γ／２Φ｜＜π／６          （５−２９）
｜Γ／２Φ｜＜π              （５−３０）
ただし、Ｐは液晶ピッチ、λは使用する光の波長であり、またΦおよびΓは夫々下記の式にて与えられる。
Φ＝２πｄ／Ｐ                    
2000081573.tif 000001
ここでｄは液晶素子の厚さ、ｎo，ｎeは夫々液晶の常光線に対する屈折率および異常光線に対する屈折率である。
【請求項１３】    光学特性可変反射鏡が液晶素子よりなり、高分子分散液晶を用いたことを特徴とする請求項１または２の光学系。
【請求項１４】    下記式（８）、（９）のうちの少なくとも一つの式を満足することを特徴とする請求項１または２の光学系。
Ｄ＜λ／５                      （８）
０．５＜ｆｆ＜０．９９９        （９）
ただし、Ｄは液晶分子の平均径、λは使用する光の波長、ｆｆは液晶の全体の体積に対する液晶分子の占める割合である。
【請求項１５】    光学特性可変反射鏡が、液晶素子の温度を変化させることで特性を変えることを特徴とする請求項１または２の光学系。
【請求項１６】    強度可変の磁場を加えて液晶の配向方向を制御することを特徴とする請求項１４の光学系。
【請求項１７】    光学特性可変反射鏡が液晶を有し、前記液晶に電場の強さあるいは周波数を変化させることによって液晶の配向方向を制御することを特徴とする請求項１または２の光学系。
【請求項１８】    光学特性可変反射鏡が液晶素子を有し、前記液晶素子として電場の周波数によって誘電異方性が変化する液晶素子を用いたことを特徴とする請求項１または２の光学系。
【請求項１９】    非回転対称面を有する光学素子と光学特性可変反射鏡とディスプレーとを備えた光学装置。
【請求項２０】    非回転対称面を有する光学素子と光学特性可変反射鏡とを備えた観察装置。
【請求項２１】    非回転対称面と光学特性可変光学素子とを備えた光学系。
【請求項２２】    非回転対称面と光学特性可変光学素子とを備えた結像光学系。
【請求項２３】    非回転対称面と光学特性可変光学素子とを備えた光学装置。
【請求項２４】    非回転対称面と光学特性可変光学素子とを備えた観察装置。
【請求項２５】    自由曲面と可変焦点レンズと反射型の光学特性可変光学素子を有する光学系。
【請求項２６】    複数の光学特性可変光学素子と非回転対称面を有する光学系。
【手続補正２】
【補正対象書類名】明細書
【補正対象項目名】００１０
【補正方法】変更
【補正の内容】
【００１０】
【発明の実施の形態】
次に本発明の光学特性可変光学素子の実施の形態について述べる。
【手続補正３】
【補正対象書類名】明細書
【補正対象項目名】００１４
【補正方法】変更
【補正の内容】
【００１４】
このような屈折率の異方性が負の液晶よりなる可変焦点光学素子は、電圧が印加されない場合、液晶１の分子のｚ方向が光軸の方向つまりＺ方向を向くように配向膜２が形成されている。
【手続補正４】
【補正対象書類名】明細書
【補正対象項目名】００２７
【補正方法】変更
【補正の内容】
【００２７】
このパターンは、配向膜２ではなく、透明基板４又は５の表面に形成してもよい。この場合、配向膜２は省略し得ることもある。又微細な溝１２はへこみでなく逆に出っ張っていてもよい。
【手続補正５】
【補正対象書類名】明細書
【補正対象項目名】００３６
【補正方法】変更
【補正の内容】
【００３６】
図１１は、図８、図９、図１０に示す第２の実施の形態の変形例であって、これらと電極１９の配置位置と形状が異なる変形例である。尚図１１において（Ａ）は＋ｚ方向から見た図、（Ｂ）は−ｘ方向から見た図である。つまり図１１（Ｂ）に示す透明基板４又は５のうちの少なくとも一方の外周部に図１１（Ａ）のように透明電極３とは絶縁された状態で電極１９を設けたもので、図１０に示すものとほぼ同様の効果が得られる。
【手続補正６】
【補正対象書類名】明細書
【補正対象項目名】００５０
【補正方法】変更
【補正の内容】
【００５０】
コロナ社発行の吉野勝美、尾崎雅則共著「液晶とディスプレイ応用の基礎」の８５頁〜９２頁に示される式によれば、絶対的な位相の変化ｅｘｐ（−ｉα）を含めた時、図１２に示した厚さｄのネマテック液晶に対するジョーンズの行列Ｗtは下記の式（５−３）にて与えられる。
2000081573.tif 000002
【手続補正７】
【補正対象書類名】明細書
【補正対象項目名】０１２７
【補正方法】変更
【補正の内容】
【０１２７】
使用する磁気光学効果をもつ物質４６としては、鉛ガラス、水晶、液晶等がある。配向膜４８は液晶の場合は設けた方が良い。
【手続補正８】
【補正対象書類名】明細書
【補正対象項目名】０１３０
【補正方法】変更
【補正の内容】
【０１３０】
図１２において、絞り２６の後方に可変焦点液晶レンズ２１と凹面を含むレンズ２８と凸レンズ２９と液晶レンズ部２５とにて構成された光学系が配置されている。凸レンズ２９は、固体撮像素子３０に対して主光線が垂直又はほぼ垂直例えば固体撮像素子の受光面に対して主光線の角度が９０°±２０°で入射するようにするために設けてある。又、凹レンズ２８はペッツバール和を改善して像面湾曲を補正するために設けてある。又絞り２６側（入射側）の凸レンズ２７は、物体側の面が凸面であり、これにより球面収差を良好に補正するようにしている。又液晶レンズ２５は、色収差を補正するために凹レンズの形状にしてある。又、レンズ２７、２８、２９のレンズ面のうちのいずれかの面を非球面にすることにより収差を一層良好に補正することが可能になり好ましい。又液晶レンズ２５は絞り２６の近傍に位置させることが液晶レンズ２５の有効径を小さくすることができ、その厚さを減少させ得るため好ましい。
【手続補正９】
【補正対象書類名】明細書
【補正対象項目名】０１６７
【補正方法】変更
【補正の内容】
【０１６７】
次に、図２９は、本発明の光学特性可変光学素子を電子内視鏡の観察系の対物光学系１２０に組み込んだ構成の概念図を示す。この例の場合も、観察系の対物光学系１２０は、ズーミングフォーカシングを行なう反射型光学特性可変光学素子１２８を備えた結像光学系を用いている。この電子内視鏡は、図２９（Ａ）に示すように、電子内視鏡１１１と、照明光を供給する光源装置１１２と、その電子内視鏡１１１に対応する信号処理を行なうビデオプロセッサ１１３と、このビデオプロセッサ１１３から出力される映像信号を表示するモニター１１４と、このビデオプロセッサ１１３と接続され映像信号等に記録するＶＴＲデッキ１１５、および、ビデオディスク１１６と、映像信号を映像としてプリントアウトするビデオプリンタ１１７と共に構成されており、電子内視鏡１１１の挿入部１１８の先端部１１９は、図２９（Ｂ）に示すように構成されている。光源装置１１２から照明された光束は、ライトガイドファイバー束１２６を通って照明用対物光学系１２７により、観察部位を照明する。そして、この観察部位からの光が、カバー部材１２４を介して、観察用対物光学系１２５によって物体像として形成される。この物体像は、ローパスフーフィルター、赤外カットフィルター等のフィルター１２１を介してＣＣＤ１２２の撮像面１２３上に形成される。さらに、この物体像は、ＣＣＤ１２２によって映像信号に変換され、その映像信号は、図２９（Ａ）に示すビデオプロセッサ１１３により、モニター１１４上に直接表示されると共に、ＶＴＲデッキ１１５、ビデオディスク１１６中に記録され、また、ビデオプリンタ１１７から映像としてプリントアウトされる。